(57)【要約】【課題】  簡単に正規の暗証番号が入力されることを回避可能な入力装置及び携帯電話装置を提供する。【解決手段】  携帯電話のテンキーを配置した領域に、ユーザが指をなぞることにより文字を入力可能な接触感知センサを配置し、キーロックを解除する為の暗証番号を登録する際に、ユーザが接触感知センサ上を図５の（ａ）〜（ｄ）に示すように、どの行又は列に４つの線が入力されたかを登録する。ユーザがキーロックを解除する際には、登録された内容と同じように、接触感知センサを操作することにより、キーロックが解除される。【選択図】      図５
2007228561.tif 000002
【特許請求の範囲】
【請求項１】
接触感知センサと、該接触感知センサ上に、どの行又は列に入力された線であるかを示す情報を記憶する記憶手段と、特定の機能の実行を禁止する禁止手段と、
前記禁止手段が特定の機能の実行を禁止している状態で、前記記憶手段に記憶されている前記情報が示す内容の線の入力が前記接触検知センサから行われたと判定すると、前記特定の機能の実行を許可するよう制御する制御手段と、を有することを特徴とする入力装置。
【請求項２】
接触感知センサと、該接触感知センサ上に、どの行又は列に入力された線であるかを示す情報を記憶する記憶手段と、特定の機能の実行を禁止する禁止手段と、
前記禁止手段が特定の機能の実行を禁止している状態で、前記記憶手段に記憶されている前記情報が示す内容の線の入力が前記接触検知センサから行われたと判定すると、前記特定の機能の実行を許可するよう制御する制御手段と、を有する入力装置を有することを特徴とする携帯電話装置。
【発明の詳細な説明】
【技術分野】
【０００１】
本発明は、暗証番号等を入力する為の入力装置及びその入力装置を備えた携帯電話装置、特に操作部の表面に接触検知センサが設けられた携帯電話装置に関する。
【背景技術】
【０００２】
近年では、キーロック機能を搭載した携帯電話装置が数多く販売されている。このキーロック機能とは、ユーザがキーロック機能をオンする設定にすると、携帯電話装置のキーが無効な状態即ち、キー操作が利かない状態になり、この状態でユーザが所定の４桁の暗証番号を入力することにより、キーが有効な状態即ち、キー操作が利く状態になる機能である。
【０００３】
このキーロック機能を用いることにより、例えば携帯電話をポケットに入れた際に誤ってキーが操作されることや、携帯電話を紛失した際に他人に携帯電話を使われることを回避することが可能である。
【０００４】
又、このキーロック機能に関するさまざまな技術も提案されており、例えば特許文献１には、遠隔操作により携帯電話装置のキーロック機能をオンにする技術が記載されている。
【特許文献１】特開平１１−３２３６９号公報
【発明の開示】
【発明が解決しようとする課題】
【０００５】
しかしながら、従来の携帯電話装置に搭載されているキーロック機能も上記特許文献１に記載の技術も、テンキーの操作により４桁の暗証番号を入力することによりキーロック機能をオフとするものである。
【０００６】
この為、仮に携帯電話装置をキーロック状態で他人の手に渡った場合でも、他人がランダムに４桁の暗証番号を入力し、偶然キーロック状態がオフされる可能性がある。
【課題を解決するための手段】
【０００７】
本願発明は、このような課題を解決する為のものであり、従来技術よりも、第三者により正しい暗証番号が入力されることを困難にするものである。
請求項１記載の入力装置は、接触感知センサと、該接触感知センサ上に、どの行又は列に入力された線であるかを示す情報を記憶する記憶手段と、特定の機能の実行を禁止する禁止手段と、前記禁止手段が特定の機能の実行を禁止している状態で、前記記憶手段に記憶されている前記情報が示す内容の線の入力が前記接触検知センサから行われたと判定すると、前記特定の機能の実行を許可するよう制御する制御手段と、を有することを特徴とする。
請求項２記載の携帯電話装置は、接触感知センサと、該接触感知センサ上に、どの行又は列に入力された線であるかを示す情報を記憶する記憶手段と、特定の機能の実行を禁止する禁止手段と、前記禁止手段が特定の機能の実行を禁止している状態で、前記記憶手段に記憶されている前記情報が示す内容の線の入力が前記接触検知センサから行われたと判定すると、前記特定の機能の実行を許可するよう制御する制御手段と、を有する入力装置を有することを特徴とする。
【発明の効果】
【０００８】
本発明によれば、どの行又は列に線が入力されたかに基づいて特定機能の実行禁止を解除する為、従来に比べて第三者に容易に特定機能の実行禁止が解除されることを困難にすることが可能である。
【発明を実施するための最良の形態】
【０００９】
次に、本発明の一実施例にかかる携帯電話装置について、図面を参照して説明する。図１は本実施例装置である携帯電話装置の斜視図である。本実施例装置は、テンキー４８といった通常のキー操作部以外に、ユーザが指で触れることにより操作可能な接触検知センサ５６も搭載している、又、前記接触検知センサ５６は、テンキー４８及びテンキー４８の周囲の領域に配置されている。
図２は、本実施例の使用形態を示す斜視図である。ユーザは、テンキー４８及びその周辺に配置されている接触検知センサ５６（図２の点線で囲っている部分）を指でなぞることにより、入力操作を行うことが可能である。
【００１０】
図３に示すように、携帯電話装置１０は、アンテナ１６と接続された通信部１２を備えている。この通信部１２は、後述のベースバンド部１４からの信号を、アンテナ１６を介して基地局へ発信し、あるいはアンテナ１６を介して基地局からの電波を受信する。
【００１１】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１２】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１３】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１４】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１５】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１６】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１７】
また、制御回路３６には、入力部４４が接続されている。この入力部４４は、電話番号等の入力を行うテンキー４８と、通話の開始を操作する通話キー５０と、通話の終了を操作する切キー５２と、ＯＫキー５４と、クリアキー５５と、を有している。
【００１８】
ここで、テンキー４８には、１〜９の各入力ボタンと、♯ボタンと、＊ボタン（本実施形態では１２個のボタンとなる）とが含まれる。また、図４に示すように全てのテンキー４８の表面と、テンキー４８周辺の筐体表面には、ユーザが接触したことを検知する接触検知センサ５６が設けられている。この接触検知センサ５６は、従来から知られているものであり、例えば、透明電極等が用いられている。携帯電話の筐体とキートップに配置されたこの接触検知センサ５６は、制御回路３６と電気的に接続されている。この為、ユーザが接触検知センサ５６に触れたことを示す信号は制御回路３６へ入力される。
【００１９】
尚、本実施例装置では、接触検知センサ５６を筐体表面に配置しているが、筐体の裏面側やキー４８の裏面側のように筐体内部に配置しても良い。例えば、静電容量検知型の接触検知センサであれば、筐体内部に配置することが可能である。又、キー４８裏面側一帯に接触検知センサ５６を配置すると、キートップ上に接触検知センサ５６を配置する構成に比べて配線が格段に簡易化される。
【００２０】
また、制御回路３６には、例えばＬＥＤ素子からなる照明部４６が接続されている。
【００２１】
ＲＡＭ４０には、暗証番号データが４桁格納される。
【００２２】
制御回路３６内部には接触検知センサ５６から入力された暗証番号等を一時的に格納するバッファ７１を有している。又、このバッファ７１には、接触検知センサ５６から入力される番号が何桁目であるかを示す桁数データと、初めに指が接触した番号のデータと、指が離れた番号のデータとが対応付けて格納される。更に、これらのデータは４桁分まで格納可能である。尚、詳細な動作説明については後ほど説明する。
【００２３】
本実施例装置はこのような構成である。次に、図３に示す構成の携帯電話装置の実施例の動作について以下に説明する。
【００２４】
本実施例では、ユーザが接触検知センサ５６を用いて４つの線（以下暗証線と称し、この暗証線は暗証番号の役割をする）を入力することにより、キーロックをオフ操作可能としている。例えば、図５は接触検知センサ５６の使用形態を示す図であるが、図５に示すように、ユーザが接触検知センサ５６上を縦向き或いは横向きになぞることにより、４つの暗証線の入力が行われる。より具体的には、例えば、暗証線を入力する際に、先ず１行目の列（キー１、２、３で構成される列）に１つ線を描くように接触検知センサ５６上をなぞる（ａ）、続いて２行目の列（キー４、５、６で構成される列）に１つ線を描くように接触検知センサ５６上をなぞる（ｂ）、その後３行目の列（キー７、８、９で構成される列）に１つ線を描くように接触検知センサ５６上をなぞる（ｃ）、最後に、１行目の列（キー１、２、３で構成される列）に１つ線を描くように接触検知センサ５６上をなぞる（ｃ）ことにより暗証線の入力が行われる。
【００２５】
尚、この４つの暗証線を設定する際に、横線だけでなく縦線を設定しても良いが、斜めの線は設定できない構成となっている。又、図５に示すように、４つの暗証線を１列目、２列目、３列目、１列目の順に入力するようになっているが、この限りではなく、４つの暗証線夫々どの列或いはどの行を入力するのはユーザが設定可能である。
【００２６】
先ず暗証線の登録を行う際の動作について説明する。図６は、暗証線の登録を行う際の動作を示すフロー図である。
【００２７】
図６のＳ１ステップでは、制御回路３６は、バッファ７１に格納されるライン数データを０とし、Ｓ２ステップへ処理を進める。
【００２８】
Ｓ２ステップでは、制御回路３６は、バッファ７１に１インクリメントしたライン数データを格納し、Ｓ３ステップへ処理を進める。尚、ここで１インクリメントしたライン数データは、上記Ｓ１ステップで格納されたライン数データ（或いはＳ６ステップ処理後にバッファ７１に格納されているライン数データ）に１インクリメントさせたデータである。
更に説明すると、従来の暗証番号の入力では４桁の番号が入力されるが、本実施例では４つの暗証線（４つの線）が入力される。この為、Ｓ２〜Ｓ６ステップを繰り返し処理する度に、４桁の暗証番号を入力するように、ライン数データが１〜４の４つバッファ７１に格納されると共に、これらライン数データに対応する暗証線のデータが格納されることになる。即ち、Ｓ２ステップからＳ６ステップを４回処理すると、バッファ７１には４つのライン数データ及び暗証線のデータが格納されることになる。
【００２９】
Ｓ３ステップでは、制御回路３６は、接触検知センサ５６に入力があると判定するとＳ４ステップへ処理を進める。
【００３０】
Ｓ４ステップでは、制御回路３６は、上記Ｓ３ステップで入力されたものが縦線であるか又は横線であるかを判定し、そうであればＳ５ステップへ処理を進め、一方、斜め線や単なる点等の、縦線又は横線以外の入力であると判定すればＳ８ステップへ処理を進める。
【００３１】
Ｓ５ステップでは、制御回路３６は、前記Ｓ４ステップで入力された線のデータをバッファ７１に格納する。より具体的には、どの列或いは行で入力されたかを示すデータをライン数データに対応付けてバッファ７１に格納する。
【００３２】
Ｓ６ステップでは、制御回路３６は、バッファ７１に格納されているライン数データが４ライン分のデータであると判定すると、Ｓ７ステップへ処理を進め、そうでなければＳ２ステップへ処理を戻す。
【００３３】
Ｓ７ステップでは、制御回路３６により、バッファ７１に格納されているライン数データと暗証線データと、が対応付けられた４つ分のデータがＲＡＭ４０に格納される。尚、この時バッファ７１に格納されているデータは消去される。
【００３４】
Ｓ８ステップでは、制御回路３６は、ディスプレイ４２にエラー表示し、処理を終了する。
【００３５】
このような処理を終了し、暗証線の登録が終了した後に、ユーザがキーロックをオンする操作を行うことによりキーロックがオンされる。このキーロックオンの状態でキーロックをオフする動作について以下に説明する。
【００３６】
図７は、キーロックをオフする際の動作を示すフロー図である。
【００３７】
図７のＳ１０ステップでは、制御回路３６は、バッファ７１に格納されるライン数データを０とし、Ｓ１１ステップへ処理を進める。
【００３８】
続くＳ１１ステップでは、制御回路３６は、バッファ７１に新たに１インクリメントしたライン数データを格納し、Ｓ１２ステップへ処理を進める。尚、ここで１インクリメントしたライン数データは、上記Ｓ１０ステップで格納されたライン数データ（或いはＳ１６ステップ処理後にバッファ７１に格納されているライン数データ）に１インクリメントさせたデータである。
更に説明すると、従来の暗証番号の入力では４桁の番号が入力されるが、本実施例では４つの暗証線（４つのライン）が入力される。この為、Ｓ１１〜Ｓ１６ステップを繰り返し処理する度に、４桁の暗証番号を入力するように、ライン数データが１〜４の４つバッファ７１に格納されると共に、これらライン数データに対応する暗証線データが格納されることになる。即ち、Ｓ２ステップからＳ６ステップを４回処理すると、バッファ７１には４つのライン数データ及び暗証線データが格納されることになる。
【００３９】
Ｓ１２ステップでは、制御回路３６は、接触検知センサ５６に指が触れたと判定するとＳ１３ステップへ処理を進める。
【００４０】
Ｓ１３ステップでは、制御回路３６は、上記Ｓ１２ステップで縦線又は横線の入力があると判定するとＳ１４ステップへ処理を進め、そうでなければＳ１８ステップへ処理を進める。
【００４１】
Ｓ１４ステップでは、制御回路３６は、上記Ｓ１３ステップで入力があった暗証線のデータをライン数データに対応付けてバッファ７１に格納する。
【００４２】
続くＳ１５ステップでは、制御回路３６は、上記Ｓ１４ステップでバッファ７１に格納されたライン数データ及び暗証線データと、ＲＡＭ４０に格納されているライン数データ及び暗証線データを比較し、一致すればＳ１６ステップへ処理を進め、そうでなければ、Ｓ１８ステップへ処理を進める。
尚、この時、制御回路３６は、バッファ７１に格納されているライン数データと対応する暗証線データと、ＲＡＭ４０に格納されているライン数データと対応する暗証線データと、を比較する。例えば、バッファ７１に１ライン目であることを示すデータと対応する暗証線のデータが１行目だとし、一方ＲＡＭ４０には１ライン目であることを示すデータに対応する暗証線データが１行目であれば、制御回路３６は一致すると判定するが、ＲＡＭ４０に格納されている１ライン目の暗証線データが１行目以外（例えば、２行目、３行目、１列目、２列目等）であれば不一致であると判定する。
【００４３】
Ｓ１６ステップでは、制御回路３６は、バッファ７１に格納されているライン数データが４桁分のデータであると判定すると、Ｓ１７ステップへ処理を進め、そうでなければ１１ステップへ処理を戻す。
【００４４】
Ｓ１７ステップでは、制御回路３６は、入力された４つの暗証線データが全て正規のものであると判定し、キーロック解除の動作を行うと共にバッファ７１に格納されているデータを消去する。
【００４５】
Ｓ１８ステップでは、制御回路３６は、ディスプレイ４２にエラー表示し、処理を終了する。
【００４６】
図６における暗証線の登録は４桁の暗証線を入力して登録する例を示したが、２度同じ暗証線を接触検知センサから入力し、最初に入力した暗証線のデータと２度目に入力した暗証線のデータを各桁ごとに照合して、照合結果が一致した場合にＲＡＭ４０に登録するように構成してもよい。この場合、バッファ７１は最初に入力した暗証線のデータを第１の領域に各桁ごとに記憶し、２度目に入力した暗証線のデータをバッファ７１の第２の領域に各桁ごとに記憶し、両者を照合すればよい。
バッファ７１の第１領域に記憶された最初に入力された暗証線のデータと、バッファ７１の第２領域に記憶された２回目に入力された暗証線のデータとの照合は、例えば次のように行うことができる。
すなわち、図８Ａに示すように、まずユーザが指で横線をなぞると、指には幅があるので、接触検知センサ５６は細い線の接触を検出するのではなく、ある程度幅（指の幅）を持った線の接触を検出する。そこで、この指幅の中心に線が描かれたと判定する、即ち、描かれた線は図８Ａに示すＭ1(Ｌ１)であると判定する。しかし、この線を登録すると、再度全く同じ軌跡でユーザが線を描くのは困難である。この為、線にある程度のマージン領域（図８ＡのＡ１）を持たせている。このマージン領域は、ユーザの指の幅の約１０〜２０％ぐらいの幅を持っており、図８Ｂに示すようにこのマージン領域（Ａ１）にユーザの指幅の中心（Ｍ２（Ｌ２））が入るようにユーザが線を描くと、同じ文字が入力されたと判定するようになっている。
【００４７】
又、ユーザが、登録された形状と相似な形状（例えば、図８Ａの横線を拡大又は縮小した線）を入力した場合でも、一致する形状が入力されたと判定するようにすることができる。例えば、拡大された横線が入力された場合には、登録された線（図８ＡのＭ１）とマージン領域（図８ＡのＡ１）を拡大し、入力した横線（ユーザの指幅の中心で描かれた線）との一致を見ることにより、一致する形状が入力されたかを判定することができる。一方、縮小された横線が入力された場合には、登録された線（図８ＡのＭ１）とマージン領域（図８ＡのＡ１）を縮小し、入力した数字（ユーザの指幅の中心で描かれた横線）との一致を見ることにより、一致する形状が入力されたかを判定することができる。
【００４８】
この場合、最初の入力形状の大きさと２回目の入力時の形状の大きさをそのまま暗証番号又は暗証線のデータとして比較せず、相似形状であれば相似度を加味して比較し、一致したものと判定するようにしてもよい。
【００４９】
以上説明したように、本実施例装置では、４つの線の入力位置を暗証番号としている為、従来のように単に４桁の番号を押下操作により入力する方法に比べ暗証番号の入力が複雑化され、より第三者に正規の暗証番号が入力されることを困難にすることができる。
【００５０】
尚、本実施例では携帯電話装置を例に説明したが、本発明にかかる暗証番号の入力装置は、銀行のＡＴＭ（ＡＵＴＯＭＡＴＩＣ  ＴＥＬＬＥＲ  ＭＡＣＨＩＮＥ）や、ＰＤＡ（ＰＥＲＳＯＮＡＬ  ＤＩＧＩＴＡＬ  ＡＳＳＩＳＴＡＮＣＥ）等においても携帯電話装置と同様に適用可能である。
【図面の簡単な説明】
【００５１】
【図１】本発明を適用してなる実施例装置の斜視図である。
【図２】本実施例装置の使用形態を示す斜視図である。
【図３】本実施例装置のブロック図である。
【図４】接触検知センサ５６近傍を示す断面図である。
【図５】本実施例装置の表示形態である。
【図６】本実施例の動作を示すフロー図である。
【図７】本実施例の動作を示すフロー図である。
【図８】暗証番号又は暗証線登録における入力データの一致判定の概念を説明するための概念図であり、図８Ａは最初に入力されたデータを記憶するバッファの内容、図８Ｂは再度入力されたデータ形状を記憶するバッファの内容を模式的に示す図である。
【符号の説明】
【００５２】
１０      携帯電話装置
３６      制御回路
４０      ＲＯＭ
４４      入力部
４８      テンキー
５６      接触検知センサ
７１      バッファ
【図１】
2007228561.tif 000003
【図２】
2007228561.tif 000004
【図３】
2007228561.tif 000005
【図４】
2007228561.tif 000006
【図５】
2007228561.tif 000007
【図６】
2007228561.tif 000008
【図７】
2007228561.tif 000009
【図８】
2007228561.tif 000010